(57)【要約】【課題】記録再生部を着脱可能な情報記録装置が、着脱時に効果的に記録再生動作を停止できる情報記録装置の提供。【解決手段】情報記録装置２００に着脱可能なＨＤＤユニット１００が情報記録装置２００のコネクタ接続部２３０に接続するコネクタ接続部１３０を備える。情報記録装置２００は、ＨＤＤユニット１００の着脱を検出する着脱検出部２７１，２７２、コネクタ接続部２３０を備える。コネクタ接続部１３０は、コネクタ接続部２３０のコネクタ２３１に電気的に接続されるコネクタ１３２を備え、ＨＤＤユニット１００が着脱される方向に摺動可能であり、ＨＤＤユニット１００が取り出される場合ＨＤＤユニット動作制御手段がＨＤＤユニット１００の動作を停止させると共にコネクタ接続部１３０が摺動してコネクタ接続部２３０との電気的な接続を保持する。そのため、コネクタ２３１とコネクタ１３２との電気的な接続が切断されるまでに遅延時間を生じる。【選択図】図１
2008210455.tif 000002
【特許請求の範囲】
【請求項１】
情報処理装置に着脱可能な記録再生部が上記情報処理装置の第１コネクタ部に接続するための第２コネクタ部を備えている情報処理装置であって、
上記情報処理装置は、上記記録再生部の着脱を検出する着脱検出手段を備え、
上記第１コネクタ部は、情報処理装置コネクタを備え、
上記第２コネクタ部は、
上記第１コネクタ部に接続するときに上記情報処理装置コネクタに電気的に接続される記録再生部コネクタを備え、
上記記録再生部が上記情報処理装置から着脱される方向に摺動可能に上記記録再生部の外側に設けられており、
上記記録再生部が上記情報処理装置に装着された状態から上記記録再生部が取り出される場合に、上記着脱検出手段が上記記録再生部の動作を停止させると共に上記第２コネクタ部が上記第１コネクタ部の方向に摺動して上記情報処理装置コネクタと上記記録再生部コネクタとの電気的な接続を保持し、上記第２コネクタ部の摺動が停止して上記情報処理装置コネクタと上記記録再生部コネクタとの電気的な接続が切断されるまでに遅延時間を生じることを特徴とする情報処理装置。
【請求項２】
上記第２コネクタ部は、
上記記録再生部が上記情報処理装置から着脱される方向に長軸を有する長円形のコネクタホールが形成され、
上記コネクタホールを貫通するように上記記録再生部に形成されたコネクタ手段固定部によって上記記録再生部に摺動可能に設けられていることを特徴とする請求項１に記載の情報処理装置。
【請求項３】
上記記録再生部が、ハードディスク装置であることを特徴とする請求項１に記載の情報処理装置。
【請求項４】
上記着脱検出手段が上記情報処理装置の上記記録再生部を着脱する開口部を挟む位置に対になるように対向して設けられた光検知式着脱検出手段であり、
対向する一方の光検知式着脱検出手段から照射された光が他方の光検知式着脱検出手段で検知されないことで上記記録再生部が上記情報処理装置に装着されたことを検出すると共に、対向する一方の光検知式着脱検出手段から照射された光が他方の光検知式着脱検出手段で検知されることで上記記録再生部が上記情報処理装置から取り外されたことを検出することを特徴とする請求項１に記載の情報処理装置。
【発明の詳細な説明】
【技術分野】
【０００１】
本発明は、電子記録再生を行うことのできる記録再生部を着脱することができる情報記録装置が、記録再生部を着脱する場合に効果的に記録再生動作を停止することができる情報記録装置に関するものである。特に、着脱可能に設けられたハードディスク装置が効果的に記録再生動作を停止し、安全に着脱を可能とする情報記録装置に関するものである。
【背景技術】
【０００２】
従来より、大容量の電子情報を持ち運びする必要性が高まっている。例えばノートパソコンなどの持ち運び型のコンピュータの記録再生装置や、車載型道路ナビゲーションシステムの記録再生装置など、現在では大容量の電子情報を持ち運ぶ要求が高くなっている。
【０００３】
従来は上記のような電子情報を記録した記録媒体として、例えばコンパクトディスク（CD:Compact Disk）やＤＶＤ（Digital Versatile Disk）などのメディアが用いられていた。
【０００４】
近年ではより大容量の電子情報を持ち運ぶために、ハードディスク装置などの記録容量が大きく、高速に大量のデータを読み書きすることのできる記録再生装置を大容量の電子情報を持ち運ぶ手段として用いられるようになってきている。
【０００５】
また、ハードディスク装置などの記録再生装置をＣＤやＤＶＤのように取り替え可能な大容量記録媒体として用いることも行われている。これは、例えば特許文献１に開示されている情報記憶装置のように、ハードディスク装置を備えるＨＤＤユニットが着脱機構を備えており、ハウジングに着脱されるなどの方法によって実現されている。
【０００６】
また、ハードディスク装置などの記録再生装置は、外部からの振動や衝撃に弱いことが知られている。さらに、ハードディスク装置が記録再生などの作業を行っている場合に、ハードディスク装置に対して電力の供給が停止すると、振動や衝撃を与えたときと同様にハードディスク装置が機械的に損傷し、記録再生が行えないようになる場合がある。
【０００７】
ハードディスク装置は、大容量の記録容量を実現するために、極めて高密度に情報を記録・再生する記録再生手段を備えている。例えばハードディスクでは、円盤状のディスクに微細な記録領域を形成し、上記の記録再生手段をディスク上の記録領域に対して高精度に位置決めして情報を読み書きすることによって高密度な情報を記録し、再生している。また、大容量を実現するために、記録再生手段とディスクとは非常に小さな間隔を保持した状態で情報を記録再生している。つまり、ハードディスク装置などの大容量の記録再生装置では、動作中の記録再生手段の位置の再現性がきわめて重要であり、高精度の位置決め精度が要求されている。
【０００８】
このようなハードディスク装置が動作している場合に外部から振動や衝撃が加わったり、動作中に電源が遮断されて動作が急に停止されると、記録再生手段の位置にぶれが生じ、ディスク上に記録再生手段が接触することがある。場合によっては、記録再生手段やディスクなどを機械的に損傷し、記録再生が行えないようになる場合がある。そのため、今日では記録再生を行わない場合には、記録再生手段がディスクから離れた位置に移動するような機構などが実現されている。
【０００９】
そのため、特許文献２に開示されているハードディスク装置のように、着脱可能なＨＤＤユニットが振動減衰手段を備えており、大容量の電子情報を着脱可能に持ち運ぶ技術も知られている。
【００１０】
また、特許文献３では、ハードディスク装置が備えられたコンピュータの電源を投入した状態で、ハードディスク装置を損傷することなく取り出すことのできる技術が開示されている。この技術では、ハードディスク装置の固定手段にスイッチが設けられており、ハードディスク装置を取り出そうとするとハードディスク装置への記録再生動作を停止すると共にコンピュータ装置がサスペンド状態に移行する技術が開示されている。
【００１１】
このような技術を用いることによって、ＣＤやＤＶＤでは実現が困難である大容量の記録容量を自由に着脱して取替え、高速に読み書きする記録再生装置が実現されている。
【００１２】
また特許文献４では、ＨＤＤモジュールをコンピュータなどに取り付けるコネクタに相当する部分に、ＨＤＤモジュールに搭載されたハードディスク装置の電源制御のためのパワー制御回路が組み込まれている。図７は、特許文献４に開示されているパワー制御回路の構造を示す平面図であり、ＨＤＤモジュールをコンピュータなどに取り付けるコネクタに相当する部分を示している。
【００１３】
図７に記載されているパワー制御回路では、制御信号を発生する端子が他の端子に比べて短く形成されている。そのため、ＨＤＤモジュールをコンピュータなどから取り外す場合に、制御信号を発生する端子の導通がまず遮断され、この信号を利用してＨＤＤモジュールの電源をＯＦＦとすることができる。そしてこの技術によって、コンピュータなどの本体側の電源部及びＨＤＤモジュールを制御する信号線にノイズ等の悪影響を及ぼさなくする技術が開示されている。
【特許文献１】特開平１１−１４９７５３号公報（平成１１年（１９９９年）６月２日公開）
【特許文献２】特開２００３−３１４６１３号公報（平成１５年（２００３年）１１月６日公開）
【特許文献３】特開平５−３２４２０９号公報（平成５年（１９９３年）１２月７日公開）
【特許文献４】特開平７−１２２０３９号公報（平成７年（１９９５年）５月１２日公開）
【発明の開示】
【発明が解決しようとする課題】
【００１４】
しかしながら、上記従来の構成では、記録再生部を情報記録装置に着脱する場合に効果的に記録再生部の記録再生動作を停止することができないという問題点を有している。
【００１５】
特許文献３に示される従来技術では、ハードディスク装置の固定手段に設けられたスイッチによってハードディスク装置を使用者が取り外そうとしていることをコンピュータが感知し、ハードディスク装置が記録再生動作を停止するように構成されている。
【００１６】
しかしながら、ハードディスク装置が記録再生動作を行っている場合、スイッチによって上記動作を検知してから記録再生動作を停止するまでには、（１）ハードディスク装置の動作状態の確認時間、（２）現在のハードディスク装置の動作を停止するための割り込み処理時間、（３）現在記録再生中のハードディスク装置の情報をコンピュータとハードディスク装置中の記録媒体とで整合させる（一致させる）時間などの少なくとも一定の時間が必要である。特に（３）の処理時間は、ハードディスク装置に補助記憶装置としてキャッシュメモリなどが搭載されている場合では、コンピュータとハードディスク装置中の記録媒体とでデータを整合させるためにキャッシュのデータをハードディスク装置に全て書き込むか、フェイルセーフの原則によってキャッシュのデータ及びそれに対応するコンピュータのデータとを共に捨てるかを行う必要がある。そのため、ハードディスク装置は任意のタイミングで即時に停止することが難しい。そのため、特許文献３に開示される技術では安全にハードディスク装置を停止することが難しい。
【００１７】
また、特許文献４の方法では、ハードディスク装置を着脱する場合に、ハードディスク装置が取り付けられている本体側の装置の電源部及びＨＤＤモジュールを制御する信号線にノイズ等の悪影響を及ぼさなくすることができるものの、着脱するハードディスク装置を上記（１）〜（３）のように停止することは考慮されておらず、ハードディスク装置事態が損傷する可能性がある。そのため、ハードディスク装置を着脱する場合に効果的に記録再生動作を停止することが難しかった。
【００１８】
また最近では、ハードディスクを用いない記録再生装置でも、その記録容量がますます増加している。例えば、半導体を用いたハードディスク型の外部記録再生装置などが実用化されている。これらの装置では、数１０ＧＢ程度の記録容量を備えるものも実用化されており、コンピュータなどの本体と着脱可能に設けられている記録再生装置とのデータの転送速度に比較しても著しく大容量の電子情報を記録することができる。
【００１９】
そのため、着脱操作によって機械的に破壊されることの少ない上記のような記録再生装置であっても、記録されている電子情報の整合性を取るためには着脱する可能性を検知してから情報の整合性を取るまでに少なくとも一定の時間がかかるため、このような電子記録再生装置を着脱する場合に効果的に記録再生動作を停止する機構が求められていた。
【００２０】
本発明は、上記従来の問題点に鑑みなされたものであって、その目的は、電子記録再生を行う記録再生部を着脱可能である情報記録装置が、該記録再生部を着脱する場合に効果的に記録再生動作を停止することができる情報記録装置を提供することにある。
【課題を解決するための手段】
【００２１】
本発明の情報処理装置は、上記課題を解決するために、情報処理装置に着脱可能な記録再生部が上記情報処理装置の第１コネクタ部に接続するための第２コネクタ部を備えている情報処理装置であって、上記情報処理装置は、上記記録再生部の着脱を検出する着脱検出手段を備え、上記第１コネクタ部は、情報処理装置コネクタを備え、上記第２コネクタ部は、上記第１コネクタ部に接続するときに上記情報処理装置コネクタに電気的に接続される記録再生部コネクタを備え、上記記録再生部が上記情報処理装置から着脱される方向に摺動可能に上記記録再生部の外側に設けられており、上記記録再生部が上記情報処理装置に装着された状態から上記記録再生部が取り出される場合に、上記着脱検出手段が上記記録再生部の動作を停止させると共に上記第２コネクタ部が上記第１コネクタ部の方向に摺動して上記情報処理装置コネクタと上記記録再生部コネクタとの電気的な接続を保持し、上記第２コネクタ部の摺動が停止して上記情報処理装置コネクタと上記記録再生部コネクタとの電気的な接続が切断されるまでに遅延時間を生じることを特徴としている。
【００２２】
上記の構成によれば、記録再生部が情報処理装置から抜き取られ始めた場合、第２コネクタ部が第１コネクタ部の方向に摺動している間は記録再生部と情報処理装置との電気的な接続が維持される。その間に着脱検出手段は記録再生部が情報処理装置から抜き取られ始めていることを検知し、記録再生部の動作を停止させることができる。
【００２３】
つまり、第２コネクタ部に設けられている摺動可能範囲を超えるように記録再生部が情報処理装置から抜き取られるまでの時間が、記録再生部を情報処理装置から抜き取り始めたときから記録再生部と情報処理装置との電気的な接続が切断されるまでの遅延時間となる。上記の構成では、この遅延時間の間に記録再生部の動作を停止させることができるので、記録再生部を情報処理装置から抜き取る場合に記録再生部を損傷することがない。
【００２４】
また、上記第２コネクタ部は、上記記録再生部が上記情報処理装置から着脱される方向に長軸を有する長円形のコネクタホールが形成され、上記コネクタホールを貫通するように上記記録再生部に形成されたコネクタ手段固定部によって上記記録再生部に摺動可能に設けられている構成であることが好ましい。
【００２５】
また、上記記録再生部が、ハードディスク装置であることが好ましい。
【００２６】
また上記着脱検出手段が上記情報処理装置の上記記録再生部を着脱する開口部を挟む位置に対になるように対向して設けられた光検知式着脱検出手段であり、対向する一方の光検知式着脱検出手段から照射された光が他方の光検知式着脱検出手段で検知されないことで上記記録再生部が上記情報処理装置に装着されたことを検出すると共に、対向する一方の光検知式着脱検出手段から照射された光が他方の光検知式着脱検出手段で検知されることで上記記録再生部が上記情報処理装置から取り外されたことを検出することが好ましい。
【００２７】
上記の構成によれば、機械式の着脱検知手段を用いる場合のように、着脱検知手段の接点部の位置あわせを行う必要がない。また、記録再生部の着脱を行う場合に、物理的に上記の着脱検知手段が記録再生部に接していないため、記録再生部の着脱の際に力をいれて着脱する必要がない。つまり、記録再生部を取り付ける場合に情報処理装置に押し込みすぎて故障を招いたり、取り外し時に勢い良く引っ張りすぎて、情報処理装置コネクタと記録再生部コネクタとの電気的な接続が切断されるまでの遅延時間を不用意に短くしたりすることがない。
【発明の効果】
【００２８】
本発明の情報処理装置は、以上のように、上記情報処理装置は、上記記録再生部の着脱を検出する着脱検出手段を備え、上記第１コネクタ部は、情報処理装置コネクタを備え、上記第２コネクタ部は、上記第１コネクタ部に接続するときに上記情報処理装置コネクタに電気的に接続される記録再生部コネクタを備え、上記記録再生部が上記情報処理装置から着脱される方向に摺動可能に上記記録再生部の外側に設けられており、上記記録再生部が上記情報処理装置に装着された状態から上記記録再生部が取り出される場合に、上記着脱検出手段が上記記録再生部の動作を停止させると共に上記第２コネクタ部が上記第１コネクタ部の方向に摺動して上記情報処理装置コネクタと上記記録再生部コネクタとの電気的な接続を保持し、上記第２コネクタ部の摺動が停止して上記情報処理装置コネクタと上記記録再生部コネクタとの電気的な接続が切断されるまでに遅延時間を生じる構成である。
【００２９】
上記の構成によれば、記録再生部が情報処理装置から抜き取られ始めた場合、第２コネクタ部が第１コネクタ部の方向に摺動している間は記録再生部と情報処理装置との電気的な接続が維持される。その間に着脱検出手段は記録再生部が情報処理装置から抜き取られ始めていることを検知し、記録再生部の動作を停止させることができる。
【００３０】
つまり、第２コネクタ部に設けられている摺動可能範囲を超えるように記録再生部が情報処理装置から抜き取られるまでの時間が、記録再生部を情報処理装置から抜き取り始めたときから記録再生部と情報処理装置との電気的な接続が切断されるまでの遅延時間となる。上記の構成では、この遅延時間の間に記録再生部の動作を停止させることができるので、記録再生部を情報処理装置から抜き取る場合に記録再生部を損傷することがない。
【００３１】
それゆえ、電子記録再生を行う記録再生部を着脱可能である情報記録装置が、該記録再生部を着脱する場合に効果的に記録再生動作を停止することができる情報記録装置という効果を奏する。
【発明を実施するための最良の形態】
【００３２】
本発明の実施の形態について図１〜図６に基づいて説明すれば、以下の通りである。
【００３３】
以下の実施の形態としては、着脱可能に内蔵する記録再生部の一実施形態として磁気式の記録再生を行うハードディスク装置を用いる場合について記載するが、内蔵する記録再生部は着脱する場合に効果的に記録再生動作を停止する機構を備えていることが好ましい情報記録装置全般について適用することができる。
【００３４】
図１（ａ）〜（ｄ）は、本実施の形態のＨＤＤユニット１００を示す平面図及び断面図である。本実施の形態のＨＤＤユニット１００は、直方体形状である場合について記載するが、ＨＤＤユニットは他の形状で形成することも可能である。
【００３５】
図１（ａ）は本実施の形態のＨＤＤユニット１００を上方から見た平面図であり、ＨＤＤユニット１００を着脱可能に装着する情報記録装置２００と共に記載されている。また図１（ｂ）は、本実施の形態のＨＤＤユニット１００の側面図である。また図１（ｃ）は、図１（ａ）のＡ−Ａ’断面図であり、図１（ｄ）は本実施の形態のＨＤＤユニット１００を正面から見た平面図である。また、図２は、本実施の形態のＨＤＤユニット１００を示す斜視図である。
【００３６】
本実施の形態の情報記録装置２００（情報処理装置）は、本実施の形態のＨＤＤユニット１００（記録再生部）を装着する装置であり、本実施の形態のＨＤＤユニット１００を電気的に接続するためのコネクタ部２３０（第１コネクタ部）を備えている。コネクタ部２３０は、後述するコネクタ接続部１３０（第２コネクタ部）に電気的に接続するコネクタ２３１（情報処理装置コネクタ）を備えている。コネクタ２３１は、周知の構造のコネクタを用いることができる。
【００３７】
また本実施の形態の情報記録装置２００は、本実施の形態のＨＤＤユニット１００が着脱されている状態を検知する着脱検出部２７１及び着脱検出部２７２を備えている。これらの着脱検出部２７１，２７２（着脱検出手段）は光検知式（光検知式着脱検出手段）、機械式などの周知の手段を用いることができる。本実施の形態の情報記録装置２００では、着脱検出部２７１及び着脱検出部２７２は情報記録装置２００の壁面であり、コネクタ接続部２３０の接続部に沿って着脱検出部２７１から着脱検出部２７２に光を照射するように設けられている。つまりＨＤＤユニット１００を着脱するために情報記録装置２００に形成されている開口部を挟む位置に対向するように設けられている。そして、着脱検出部２７１が照射した光を着脱検出部２７２が受光することによってＨＤＤユニット１００は取り外されたことを検知する。このように光学式の着脱検知手段を用いると、機械式の着脱検知手段を用いる場合のように着脱検知手段の接点部の位置あわせを行う必要がない。また、ＨＤＤユニット１００の着脱を行う場合に、物理的に着脱検知手段がＨＤＤユニット１００に接していないため、ＨＤＤユニット１００の着脱の際に力をいれる必要がない。つまり、ＨＤＤユニット１００を取り付ける場合に情報処理装置２００に押し込みすぎて故障を招いたり、取り外し時に勢い良く引っ張りすぎて、コネクタ部２３０とコネクタ接続部１３０との電気的な接続が切断されるまでの遅延時間を不用意に短くしたりすることがない。詳しい構成及び機構については後述する。
【００３８】
本実施の形態のＨＤＤユニット１００は、例えば大容量の記録容量を持ち運ぶ記録媒体として用いることができる。そのため、情報記録装置２００はその記録媒体としてのＨＤＤユニット１００を取り付け、取り外しできる装置であればよい。このような装置は、例えば設置型、またはノートパソコンなどの持ち運び型のコンピュータの外部記録装置や、車載型道路ナビゲーションシステムの記録装置などの周知の装置に用いることができる。
【００３９】
またＨＤＤユニット１００と情報記録装置２００との接続方法もネジ止めなどの周知の方法を用いて接続、固定を行うことができる。さらに、ＨＤＤユニット１００と情報記録装置２００とを正確に取り付けるためと、取り付けた後に不用意に抜けたりしないようにＨＤＤユニット１００と情報記録装置２００とが機械的な摩擦力で接続位置を保持する図示しない機構を備えていても良い。このような機構は、例えば周知のように接続部のスライダ形状を摩擦部材で形成するとか、接続部に突起を設けて該突起が噛み合うような機構を用いても良い。
【００４０】
本実施の形態のＨＤＤユニット１００は、シャーシ１１０、ＦＰＣハーネス部１２０、コネクタ接続部１３０、ダンパ１４０、フロントグリル１５０、及びハードディスク装置１６０を備えている。
【００４１】
シャーシ１１０は、コネクタ接続部１３０及びフロントグリル１５０とともに本実施の形態のＨＤＤユニット１００の基本骨格構造を形成している。シャーシ１１０は、周知のハードディスクマウンタなどと同様に形成することができる。例えば鉄やアルミなどを含有する合金で形成しても良い。またその外形などは、後述するように用いるハードディスク装置１６０などに合わせて形成しても良いし、ＨＤＤユニット１００を着脱する情報記録装置２００の形状に合わせて形成しても良い。
【００４２】
コネクタ接続部１３０は、コネクタ部シャーシ１３１と、本実施の形態のＨＤＤユニット１００を情報記録装置２００に電気的に接続するためのコネクタ１３２（記録再生部コネクタ）とを備えている。そしてコネクタ１３２は、コネクタホール１３３及びコネクタ固定ネジ１３４（コネクタ手段固定部）によって、コネクタ部シャーシ１３１に摺動可能となるように設けられている。このような構成によって、後述するようにコネクタ接続部１３０はＨＤＤユニット１００と情報記録装置２００との電気的な接続を遮断する時間を遅延させる遅延機構として動作する。
【００４３】
本実施の形態のコネクタ１３２は、シート状に形成されたＦＰＣ（Flexible Printed Circuit）によって形成されたＦＰＣハーネス部１２０に接続している。ＦＰＣハーネス部１２０についての詳細は後述するが、本実施の形態のコネクタ１３２では、ＦＰＣハーネス部１２０のシート状のＦＰＣが平面的にコネクタ１３２に接続している。また本実施の形態のコネクタ１３２は、平面形状の基板として形成されている。
【００４４】
尚、本実施の形態では、コネクタ１３２の平面形状の基板表面と、コネクタ１３２及びＦＰＣハーネス部１２０の接合面とは、ハードディスク装置１６０のディスクの回転軸の方向に垂直な平面に平行になるように設けられている。言い換えると、ハードディスク装置１６０のディスクのなす平面に平行であり、一般的にハードディスク装置１６０に設けられる図示しない制御基板が形成されている面に平行な面にコネクタ１３２の表面と、コネクタ１３２及びＦＰＣハーネス部１２０の接合面とが設けられている。この面は、ＨＤＤユニット１００の外部の表面であり、最も大きな面積を備える面に平行な面と表現することもできる。
【００４５】
コネクタホール１３３は、コネクタ１３２を形成している基板に形成された長円形の開口部であり、その長軸がコネクタ１３２を抜き差しする方向に設けられている。
【００４６】
コネクタ固定ネジ１３４は、コネクタ１３２に形成されたコネクタホール１３３を貫通してコネクタ部シャーシ１３１にゆるく締め付けられている固定部材である。コネクタ固定ネジ１３４は、コネクタ１３２とコネクタ部シャーシ１３１とを摺動可能となるように固定することができれば、ネジでなくてもよい。
【００４７】
コネクタ１３２はまた、ＦＰＣハーネス部１２０を介してハードディスク装置１６０に設けられているコネクタ１６１に電気的に接続している。さらに本実施の形態のコネクタ接続部１３０は、上記の着脱検出部２７１の照射した光を遮る遮光部１３５を備えている。
【００４８】
コネクタ１３２は、本実施の形態の情報記録装置２００のコネクタ２３１に物理的に接続することにより、本実施の形態のＨＤＤユニット１００と情報記録装置２００とが電気的に接続される。そして、本実施の形態では、コネクタ１３２はコネクタホール１３３及びコネクタ固定ネジ１３４によってコネクタ部シャーシ１３１に摺動可能に固定されている。そのため、本実施の形態のＨＤＤユニット１００を情報記録装置２００から取り外す場合に、コネクタ部シャーシ１３１よりも遅れてコネクタ１３２が情報記録装置２００のコネクタ２３１から離れる動作をする。
【００４９】
また遮光部１３５は、本実施の形態のコネクタ接続部１３０に設けられている板状の部材であり、本実施の形態のＨＤＤユニット１００が情報記録装置２００に装着されたときに着脱検出部２７１と着脱検出部２７２との間を空間的に塞ぎ、着脱検出部２７１から照射された光が着脱検出部２７２に検出されないようにする部材である。そのため、上記条件を満たせば、形状及びその設けられる位置を限定する必要は特にない。また、遮光部１３５はシャーシ１１０と一体に形成されていても良い。このように構成することにより、コストを下げることができる。
【００５０】
本実施の形態では、遮光部１３５は、ハードディスク装置１６０の側面であり、コネクタ１３２が設けられている部分の下部に設けられており、コネクタ１３２の下で照射される着脱検出部２７１の光を遮るように設けられている。
【００５１】
フロントグリル１５０は、コネクタ接続部１３０が設けられている側に対向するシャーシ１１０の側面に設けられている。本実施の形態のＨＤＤユニット１００において、フロントグリル１５０には内部に設けられるハードディスク装置１６０に冷却用の空気を送ることのできる換気スリット１５１が設けられている。
【００５２】
本実施の形態のＨＤＤユニット１００は、現在市場に流通している形状のハードディスク装置を用いることが可能である。また、専用に製作されたハードディスク装置を用いることもできる。上記のシャーシ１１０は、これらのハードディスク装置を後述するダンパ１４０を介して固定することができる形状であればよく、周知の方法で形成することができる。
【００５３】
本実施の形態のＨＤＤユニット１００に装着されているハードディスク装置１６０は、例えば現在市場に流通している１．８インチ型、２．５インチ型、３．５インチ型などの規格品を装着することも可能であるし、さらに専用に製造されたハードディスク装置などを自由に装着することができる。
【００５４】
本実施の形態のＨＤＤユニット１００では、ハードディスク装置１６０に設けられているコネクタ１６１とコネクタ部１３０に設けられているコネクタ１３２とがＦＰＣハーネス部１２０によって物理的に接続されているとともに、電気的に接続されている。本実施の形態のＨＤＤユニット１００では、ＦＰＣハーネス部１２０はシート状に形成されたＦＰＣ（Flexible Printed Circuit）によって形成されている。ＦＰＣは周知の方法で形成されている部材を用いることができる。
【００５５】
本実施の形態のＦＰＣハーネス部１２０は、コネクタ１６１とコネクタ１３２との間に１個または複数個のスリット１２１を備えている。このスリット１２１は、例えばコネクタ１６１からコネクタ１３２に延びる方向に沿って設けられていても良い。このようにＦＰＣハーネス部１２０に形成されているスリット１２１によって、ＦＰＣハーネス部１２０が有する弾性及び柔軟性の特性、例えばＦＰＣハーネス部１２０がハードディスク装置１６０に機械的に接触することによって作用する配線手段の振動伝達作用や、ＦＰＣハーネス部１２０自体が有する固有振動数などを調整することができる。
【００５６】
そして、本実施の形態のＦＰＣハーネス部１２０は、十分な長さでハードディスク装置１６０及びコネクタ１３２を接続しており、ＦＰＣハーネス部１２０がハードディスク装置１６０とコネクタ１３２との間で緩やかに山なりに接続していることが好ましい。例えばコネクタ１６１とコネクタ１３２との間であり、コネクタ１３２にＦＰＣハーネス部１２０が差し込まれる方向に対して波型に湾曲した形状で接続されていると共にコネクタ１３２の表面に対しても波型に湾曲した形状で接続されていてもよい。本実施の形態のＦＰＣハーネス部１２０はこのようにコネクタ１６１とコネクタ１３２との間に接続しているため、外部からの振動や衝撃によってＦＰＣハーネス部１２０がハードディスク装置１６０を機械的に押したり、引っ張ったりする作用を抑えることができる。
【００５７】
尚、ＦＰＣハーネス部１２０は、コネクタ１３２にＦＰＣハーネス部１２０が差し込まれる方向に沿って延設されていても良いし、コネクタ１３２にＦＰＣハーネス部１２０が差し込まれる方向からずれた方向に向かって延設されていても良い。ＦＰＣハーネス部１２０は、コネクタ１６１とコネクタ１３２との位置関係に依存して延設することができる。
【００５８】
また、本実施の形態のダンパ１４０は、シャーシ１１０とハードディスク装置１６０とを物理的に接続している部材である。本実施の形態のＨＤＤユニット１００では、ダンパ１４０はハードディスク装置１６０の側面に形成されている。
【００５９】
次に図３を用いて本実施の形態のＨＤＤユニット１００と情報記録装置２００とが、着脱される場合の動作について説明する。
【００６０】
図３（ａ）〜（ｃ）は、本実施の形態のＨＤＤユニット１００のコネクタ接続部１３０と情報記録装置２００のコネクタ接続部２３０の周囲の様子を拡大して示した平面図であり、図の下側ではコネクタ接続部１３０付近の側面を示している。そしてそれぞれの図面の上側には、下側に記載されているコネクタ接続部１３０に設けられているコネクタ１３２がコネクタ部シャーシ１３１に対して摺動している様子を示している。コネクタ１３２は、コネクタ部シャーシ１３１に設けられたコネクタ固定ネジ１３４が、コネクタ１３２に形成されたコネクタホール１３３に沿って摺動している。
【００６１】
図３（ａ）は、ＨＤＤユニット１００が情報記録装置２００に設置されている状態を示している。図３（ａ）は、ＨＤＤユニット１００が情報記録装置２００の奥までしっかりと設置されている様子を示している。このとき、コネクタ１３２はコネクタ２３１の奥深くの部位までしっかりと機械的に接続されており、ＨＤＤユニット１００と情報記録装置２００とが電気的に接続されている。
【００６２】
また、コネクタ接続部１３０の遮光部１３５が情報記録装置２００の奥深くに位置している。そのため、着脱検出部２７１から照射された光２３２が遮光部１３５に当たっている。
【００６３】
尚、図３では、このような機構を設ける場合に周知に用いられている遮光補助部材２３２を情報記録装置２００のコネクタ接続部２３０に設けている場合について記載している。このような遮光補助部材２３２は、着脱検出部２７１から照射される光が乱反射等によって着脱検出部２７２に誤って検出されないようにするために用いられる部材であり、周知の材質、形状で形成することができる。
【００６４】
図３（ａ）の状態では、上述のように着脱検出部２７１から照射された光２３３が遮光部１３５に当たり、遮られている。そのため、着脱検出部２７１から照射された光は着脱検出部２７２の光検出部には到達せず、着脱検出部２７２は着脱検出信号（ＳＡＴＡ＿ＧＰＩＯ信号）としてＯＦＦ状態を出力する。出力された着脱検出信号は、後述するＨＤＤユニット動作制御手段３００で受信され、ＨＤＤユニット１００が情報記録装置２００に装着されている状態が検知される。
【００６５】
この場合、情報記録装置２００は、ＨＤＤユニット１００に内蔵されているハードディスク装置１６０に対してアクセスを行うことができる。
【００６６】
次に、ＨＤＤユニット１００が情報記録装置２００から引き抜かれている場合の状態を説明する。図３（ｂ）は、ＨＤＤユニット１００が情報記録装置２００から引き抜かれ始めた状態を示しており、（ｃ）はＨＤＤユニット１００が引き抜かれて、情報記録装置２００に電気的に接続していない状態を示している。
【００６７】
図３（ｂ）の状態では、ＨＤＤユニット１００が情報記録装置２００から少し引き抜かれているため、遮光補助部材２３２から遮光部１３５が離れた場所に位置している。
【００６８】
図３では、ＨＤＤユニット１００は図面の左側に向かって引き抜かれる様子を示しているので、遮光部１３５は遮光補助部材２３２よりも左側に移動している。そのため着脱検出部２７１から照射された光２３３は遮光補助部材２３２のコの字形状の中央部から直進して進み、図１（ａ）に示すように着脱検出部２７１に対向する位置に設けられた着脱検出部２７２に当たることになる。そのため、着脱検出部２７２は着脱検出信号としてＯＮ状態を出力する。出力された着脱検出信号はＨＤＤユニット動作制御手段３００で受信され、ＨＤＤユニット１００が情報記録装置２００から取り外されようとしている状態を検知する。
【００６９】
一方、コネクタ１３２は、上述のようにコネクタホール１３３及びコネクタ固定ネジ１３４によってコネクタ部シャーシ１３１に対して摺動する。そのため、コネクタ１３２とコネクタ２３１とはしっかりと機械的に接続されており、ＨＤＤユニット１００と情報記録装置２００とが電気的に接続されている。そのため、ＨＤＤユニット１００が情報記録装置２００から取り外され始める図３（ｂ）の位置では、ＨＤＤユニット１００と情報記録装置２００との電気的な接続が維持され、かつＨＤＤユニット１００が情報記録装置２００から取り外され始めている状態であることがわかる。
【００７０】
この場合、後述するＨＤＤユニット動作制御手段３００が着脱状態を検出し、ＨＤＤユニット１００に設けられているハードディスク装置１６０を停止させる必要があると判断し、ハードディスク装置１６０を停止させる処理を実行する。
【００７１】
次に、図４を用いてＨＤＤユニット動作制御手段３００について説明する。
【００７２】
図４は、本実施の形態のＨＤＤユニット動作制御手段３００の構成ブロック図である。本実施の形態のＨＤＤユニット動作制御手段３００は、割り込みコントローラ３１０、ＣＰＵ３２０、ＨＤＤコントローラ３３０で構成されている。
【００７３】
情報記録装置２００の着脱検出部２７２は、割り込みコントローラ３１０に電気的に接続しており、割り込みコントローラ３１０に着脱検出信号を出力する。着脱検出部２７２は、その光検出部が着脱検出部２７１から照射される光を検出しない場合に着脱検出信号としてＯＦＦ状態を出力する。また、着脱検出部２７２の光検出部は、着脱検出部２７１から照射される光を検出した場合に着脱検出信号としてＯＮ状態を出力する。
【００７４】
割り込みコントローラ３１０は、着脱検出部２７２から入力される着脱検出信号がＯＦＦ状態からＯＮ状態に変化したことを検出すると、ＨＤＤユニット１００が情報記録装置２００から取り外され始めていると判断する。また、着脱検出部２７２から入力される着脱検出信号がＯＮ状態からＯＦＦ状態に変化することを検出すると、ＨＤＤユニット１００が情報記録装置２００から取り付けられたと判断する。
【００７５】
割り込みコントローラ３１０がＨＤＤユニット１００の取り外しを検知した場合、割り込みコントローラ３１０はＣＰＵ３２０にＨＤＤユニット１００に内蔵されているハードディスク装置１６０のアクセス停止を要求する割り込み処理命令を送信する。
【００７６】
ＣＰＵ３２０は、割り込み処理命令を受信すると、ＨＤＤコントローラ３３０にアクセス停止命令を送信する。ＨＤＤコントローラ３３０は、ＨＤＤユニット１００に内蔵されているハードディスク装置１６０に対して、アクセス処理を停止するための処理を行う。
【００７７】
ハードディスク装置１６０のアクセスの動作、特に記録再生動作を停止させるためには、（１）ハードディスク装置の動作状態の確認、（２）現在のハードディスク装置の動作を停止するための割り込み処理、（３）現在記録再生中のハードディスク装置の情報をコンピュータとハードディスク装置中の記録媒体とで整合させる（一致させる）処理などを行う必要がある。そのためにハードディスク装置１６０のアクセスの動作を停止させるまでには、少なくとも一定の時間が必要となる。この処理は、例えば図５に示すフロー図のように実行される。
【００７８】
即ち、Ｓ１０１で割り込みコントローラ３１０がＨＤＤユニット１００の取り外し動作を確認する。ＨＤＤユニット１００の取り外し動作を検出すると、ＣＰＵ３２０がＨＤＤコントローラ３３０にアクセス停止命令を送信する。（Ｓ１０２）また、ＨＤＤユニット１００の取り外し動作を検出しない場合には、ステップＳ１０１においてＨＤＤユニット１００の取り外し動作がなされるかどうかの監視を続ける。
【００７９】
ＨＤＤコントローラ３３０は、まず上記（１）〜（３）などのハードディスク情報の整合処理を行う（Ｓ１０３）。その後、ＨＤＤコントローラ３３０は、ＨＤＤユニット１００に設けられているハードディスク装置１６０に対してハードディスクの停止処理を行う（Ｓ１０４）。このように処理を行うことによってＨＤＤユニット１００に設けられているハードディスク装置１６０を安全に停止させることができる。
【００８０】
本実施の形態のＨＤＤユニット１００と情報記録装置２００とは、上述のようにＨＤＤユニット１００が情報記録装置２００から抜き取られ始めた場合でもコネクタ１３２とコネクタ２３１との電気的な接続が維持され、かつＨＤＤユニット１００が情報記録装置２００から取り外され始めている状態であることを検出する。そして、ＨＤＤユニット１００が情報記録装置２００から取り外しのためにさらに移動させられた場合でも、コネクタ１３２がコネクタ部シャーシ１３１に対して摺動するためにコネクタ１３２とコネクタ２３１との電気的な接続がしばらくの間維持される。そのため、ＨＤＤユニット１００が情報記録装置２００から完全に取り外されて図３（ｃ）の状態になるまでの間に遅延時間が発生し、図５に示されるようなハードディスク装置１６０の動作を停止させる処理を完了させることができる。そのため、効果的に記録再生動作を停止することが可能である。このとき、コネクタ１３２をコネクタ２３１の方向に摺動させているコネクタ部１３０が、ＨＤＤユニット１００と情報記録装置２００との電気的な接続を遮断する時間を遅延させる遅延機構として動作している。
【００８１】
これらの動作を、図６に示すタイミングチャートを用いて説明する。図３（ａ）のようにＨＤＤユニット１００が情報記録装置２００にしっかりと設置されている場合（図６のＡの状態）、着脱検出部２７２は着脱検出部２７１から照射された光を検出しておらず、ＨＤＤユニット１００は通常の動作を行なっている。そしてＨＤＤユニット１００が情報記録装置２００から少し引き抜かれると（図６のＢの状態）、着脱検出部２７２が着脱検出部２７１から照射された光を検出し、ＨＤＤユニット１００が取り外されようとしていることを検出する（Ｓ１０１）。そして、ＣＰＵが割り込み処理を実行し（Ｓ１０２）、ＨＤＤコントローラがハードディスク情報の整合処理（Ｓ１０３）及びハードディスク装置１６０の停止処理（Ｓ１０４）を行う。ＨＤＤユニット１００と情報記録装置２００との電気的な接続はコネクタ１３２がコネクタ部シャーシ１３１に対して摺動する間維持されているので、本実施形態のＨＤＤユニット１００及び情報記録装置２００ではその間をＨＤＤのシステム退避時間として用いることができる。即ちステップＳ１０２及びＳ１０３を実行することができる。ステップＳ１０３を実行し、ＨＤＤユニット１００の動作を停止した状態（図６のＣの状態）では、ＨＤＤユニット１００を情報記録装置２００から取り外してもＨＤＤユニット１００に設けられているハードディスク装置１６０及びそれに記録されている情報を破損することがない。
【００８２】
尚、ＨＤＤユニット１００が情報記録装置２００に取り付けられる場合には、ＨＤＤユニット１００が情報記録装置２００の奥まで装着されることによって着脱検出部２７２に着脱検出部２７１から照射された光が当たらなくなる。そのため、着脱検出部２７２のＯＦＦ状態の信号をＨＤＤユニット動作制御手段３００が受信することによってＨＤＤユニット１００を使用可能に起動させることができる。
【００８３】
即ち、割り込みコントローラ３１０がＣＰＵ３２０にＨＤＤユニット１００に内蔵されているハードディスク装置１６０のアクセス開始を要求する割り込み処理命令を送信し、ＣＰＵ３２０がＨＤＤコントローラ３３０にアクセス開始命令を送信し、ＨＤＤコントローラ３３０がＨＤＤユニット１００に内蔵されているハードディスク装置１６０に対して、アクセス処理を開始するための処理を行い、ＨＤＤユニット１００を使用可能に起動させることができる。
【００８４】
また、上述のようにＨＤＤユニット１００と情報記録装置２００とが機械的な摩擦力で接続位置を保持し、正確に取り付けられると共に取り付けた後に不用意に抜けたりしないような機構を有している場合、これらの摩擦力などによってＨＤＤユニット１００が情報記録装置２００から完全に取り外されるまでに要する時間が長くなり、上記のような記録再生動作をさらに効果的に停止させることが可能である。
【００８５】
なお本発明は、以上説示した各構成に限定されるものではなく、特許請求の範囲に示した範囲で種々の変更が可能である。また、上記の発明で説示された技術的手段を適宜組み合わせて得られる実施の形態についても本発明の技術的範囲に含まれる。
【産業上の利用可能性】
【００８６】
以上のように、本発明では、記録再生部であるＨＤＤユニットを着脱可能な情報記録装置が、ＨＤＤユニットの着脱を検知する着脱検出手段と摺動可能に固定されているコネクタとを備えており、着脱検出手段がＨＤＤユニットの取り外しを検出してから上記コネクタの電気的な接続が遮断されるまでの時間に差を生じる遅延機構を備えている。そのため、本発明は、ハードディスク装置などを取り外す場合にハードディスク装置を安全に停止させることができる。また、このような停止させるために必要な時間を摺動可能に固定されているコネクタによって確保することができるので、上記のようなハードディスク装置のみならず、停止処理時間を必要とする記録再生部、または電子機器全般を情報記録装置から着脱する場合に効果的に停止させる機構を提供することができる。
【図面の簡単な説明】
【００８７】
【図１】（ａ）〜（ｄ）は本発明における情報記録装置の実施の一形態を示す図であり、（ａ）は本発明における情報記録装置を上方から見た平面図であり、（ｂ）は側面図、（ｃ）は（ａ）のＡ−Ａ’断面図、（ｄ）は正面から見た平面図である。
【図２】本発明における情報記録装置の実施の一形態を示す図であり、図１の情報記録装置の斜視図である。
【図３】（ａ）〜（ｃ）は、図１（ａ）のＨＤＤユニットが情報記録装置に設置されている状態から取り外されている状態までをそれぞれ段階的に示す平面図であり、それぞれの図の下側ではコネクタ接続部付近の側面を示し、それぞれの図の上側では、下側に示されたコネクタ接続部に設けられているコネクタがコネクタ部シャーシに対して摺動している様子を示している平面図である。
【図４】本発明における情報記録装置の実施の一形態を示すブロック図である。
【図５】本発明における情報記録装置の実施の一形態を示すフロー図である。
【図６】本発明における情報記録装置の実施の一形態を示すタイミングチャート図である。
【図７】従来のＨＤＤモジュールを示す平面図である。
【符号の説明】
【００８８】
１００  ＨＤＤユニット（記録再生部）
１１０  シャーシ
１２０  ＦＰＣハーネス部
１２１  スリット
１３０  コネクタ接続部（第２コネクタ部、情報処理装置コネクタ）
１３１  コネクタ部シャーシ
１３２  コネクタ（記録再生部コネクタ）
１３３  コネクタホール
１３４  コネクタ固定ネジ（コネクタ手段固定部）
１３５  遮光部
１４０  ダンパ
１５０  フロントグリル
１５１  換気スリット
１６０  ハードディスク装置
１６１  コネクタ
２００  情報記録装置（情報記録装置）
２３０  コネクタ接続部（第１コネクタ部）
２３１  コネクタ（情報処理装置コネクタ）
２３２  遮光補助部材
２７１  着脱検出部（着脱検出手段、光検知式着脱検出手段）
２７２  着脱検出部（着脱検出手段、光検知式着脱検出手段）
３００  ＨＤＤユニット動作制御手段（着脱検出手段）
３１０  割り込みコントローラ
３２０  ＣＰＵ
３３０  ＨＤＤコントローラ
【図１】
2008210455.tif 000003
【図３】
2008210455.tif 000004
【図４】
2008210455.tif 000005
【図５】
2008210455.tif 000006
【図６】
2008210455.tif 000007
【図７】
2008210455.tif 000008
【図２】
2008210455.tif 000009